(57)【要約】【課題】被着体から順次分離される２つの領域のうち、特に、後に被着体から分離される領域について、被着体から不用意に分離してしまうことを回避しながらも、必要時には被着体から容易に分離する。【解決手段】配達票１１と貼付票１２とが分離可能に連接した上基材１０と、上基材１０の一方の面に剥離可能に貼着された下基材２０とを有し、下基材２０の上基材１０との他方の面に積層された貼着層４２によって剥離紙３０が貼着されてなる構成において、配達票１１及び貼付票１２の剥離開始端部１２ｂを下基材２０から剥離可能とする剥離力が、貼付票１２の剥離開始端部１２ｂ以外の領域を下基材２０から剥離可能とする剥離力よりも小さい。【選択図】図１
2015187665.tif 000002
【特許請求の範囲】
【請求項１】
第１の領域と第２の領域とが分離線を介して分離可能に連接した第１のシートと、前記第１のシートの一方の面に擬似接着構造によって剥離可能に貼着された第２のシートとを有し、前記第２のシートの前記第１のシートとの貼着面とは反対側の面に積層された貼着層によって剥離紙が貼着されてなるラベルにおいて、
前記第２の領域は、前記分離線に沿う１つの角部に当該第２の領域の剥離開始端部を有し、
前記擬似接着構造は、前記第１の領域及び前記剥離開始端部を前記第２のシートから剥離可能とする剥離力が、前記第２の領域の前記剥離開始端部以外の領域を前記第２のシートから剥離可能とする剥離力よりも小さいことを特徴とするラベル。
【請求項２】
第１の領域と第２の領域とが分離線を介して分離可能に連接した第１のシートと、前記第１のシートの一方の面に剥離可能に貼着された第２のシートとを有し、前記第２のシートの前記第１のシートとの貼着面とは反対側の面に積層された貼着層によって剥離紙が貼着されてなるラベルにおいて、
前記第２の領域は、前記分離線に沿う１つの角部に当該第２の領域の剥離開始端部を有し、
前記剥離開始端部は、前記第２のシートと貼着されておらず、
前記分離線は、前記剥離開始端部に沿う部分に、前記第１の領域と前記第２の領域とを連結する連結部を有することを特徴とするラベル。
【請求項３】
請求項１または請求項２に記載のラベルにおいて、
前記第１の領域は、前記分離線に沿う１つの角部に当該第１の領域の剥離開始端部を有し、
前記第１の領域の剥離開始端部と前記第２の領域の剥離開始端部とは、前記分離線を介して互いに隣接しない角部に設けられているラベル。
【発明の詳細な説明】
【技術分野】
【０００１】
本発明は、被着体に貼着された状態から２つの領域に分けて被着体から順次分離されるラベルに関する。
【背景技術】
【０００２】
従来より、配送物を配送する場合、配送物の配送元及び配送先の住所や氏名あるいは名称等の配送情報が印字された配送ラベルが用いられている。このような配送ラベルは、上述したような配送情報が印字され、裏面に塗工された粘着剤によって配送物に貼着されて使用される。そして、配送物が配送先に配送された後、配送物に貼着された配送ラベルの一部が配送ラベルから分離され、配送業者等にて持ち帰られることになる。
【０００３】
図７は、一般的な配送ラベルの一例を示す図であり、（ａ）は正面図、（ｂ）は（ａ）に示したＡ−Ａ’断面図、（ｃ）は（ａ）に示したＢ−Ｂ’断面図、（ｄ）は（ａ）に示したＣ−Ｃ’断面図、（ｅ）は上基材２１０の裏面の構成を示す図、（ｆ）は下基材２２０の表面の構成を示す図である。
【０００４】
本例は図７に示すように、剥離紙２３０上に下基材２２０と上基材２１０とが積層されて構成された配送ラベル２０１である。
【０００５】
剥離紙２３０は、剥離台紙２３１の一方の面に剥離剤２３２が塗工されることによって構成されている。この剥離紙２３０の剥離剤２３２が塗工された面に下基材２２０が積層され、下基材２２０の裏面に粘着剤が塗工されることによって積層された貼着層２４２を介して下基材２２０が剥離紙２３０に剥離可能に貼着されている。
【０００６】
上基材２１０は、配達票２１１と貼付票２１２とがスリット２１３を介して分離可能に連接して構成されている。配達票２１１及び貼付票２１２のそれぞれには、この配送ラベル２０１が貼着されて配送される配送物の配送元及び配送先の住所や氏名あるいは名称等の配送情報が印字される配送情報印字領域２１１ａ，２１２ａが設けられている。また、配達票２１１は、この配送ラベル２０１が貼着されて配送される配送物の配送先にて受領印を押下するための押印領域２１１ｂが設けられているとともに、貼付票２１２に連接する角部が、三角形に切り欠かれていることにより切り欠き部２１１ｃとなっている。
【０００７】
下基材２２０の表面にはその全面に粘着剤２４１ａが塗工されることによって貼着層２４１が積層されており、この貼着層２４１によって下基材２２０に上基材２１０が貼着されているが、上基材２１０のうち配達票２１１の裏面にはその全面に剥離剤２５０ａが塗工されることによって剥離層２５０が積層されており、それにより、配達票２１１は下基材２２０に剥離可能に貼着されている。
【０００８】
以下に、上記のように構成された配送ラベル２０１の使用方法について説明する。
【０００９】
図８は、図７に示した配送ラベル２０１の使用方法を説明するための図である。
【００１０】
図７に示した配送ラベル２０１は、まず、図８（ａ）に示すように、配達票２１１及び貼付票２１２のそれぞれに設けられた配送情報印字領域２１１ａ，２１２ａに、この配送ラベル２０１が貼着されて配送される配送物の配送元及び配送先の住所や氏名あるいは名称等の配送情報２１１ｄ，２１２ｄが印字された後、下基材２２０が剥離紙２３０から剥離される。
【００１１】
下基材２２０が剥離紙２３０から剥離された配送ラベル２０１は、下基材２２０の裏面に塗工された粘着剤２４２ａが表出し、図８（ｂ）に示すように、この粘着剤２４２ａによって、配送物が収納された段ボール箱２０２に貼着される。
【００１２】
配送ラベル２０１が段ボール箱２０２に貼着された配送物が、配送情報印字領域２１１ａ，２１２ａに印字された配送情報２１１ｄ，２１２ｄに従って配送先に届けられると、配達票２１１の押印領域２１１ｂに受領印が押下され、図８（ｃ），（ｄ）に示すように、配達票２１１が、切り欠き部２１１ｃを剥離開始端として下基材２２０から剥離され、配送ラベル２０１から分離される。配達票２１１は、裏面に剥離剤２５０ａが塗工されていることにより下基材２２０から剥離できるとともに、貼付票２１２とはスリット２１３を介して分離可能に連接しているため、配送ラベル２０１から分離することができる。
【００１３】
このように配送ラベル２０１から分離した配達票２１１は、配送業者等にて持ち帰られることになる。
【００１４】
一方、上述したようにして配送された配送物の段ボール箱２０２には、貼付票２１２が貼着されたままの状態となっている。この貼付票２１２には、配送物の配送元及び配送先の住所や氏名あるいは名称等の配送情報２１２ｄが配送情報印字領域２１２ａに印字されているため、段ボール箱２０２から配送物を取り出した後に段ボール箱２０２を廃棄する際、配送情報２１２ｄの漏洩を回避するために貼付票２１２を段ボール箱２０２から剥離することが好ましい。
【００１５】
ところが、貼付票２１２は、配達票２１１のように下基材２２０との貼着面に剥離層２５０が積層されているわけではなく、粘着層２４１によって上基材２１０が下基材２２０に直接貼着されているため、下基材２２０から剥離することが困難である。
【００１６】
ここで、配達票がミシン目によって分離可能となった配送用伝票において、貼付票もミシン目によって分離可能に構成し、さらに、貼付票の裏面に粘着剤を部分的に塗工してベース基材に貼着しておくことにより、配送物の配送後に、ミシン目を破断しながら貼付票をベース基材から剥離可能とする配送用伝票が、例えば特許文献１に開示されている。この配送用伝票においては、配達票と貼付票とがそれぞれミシン目によって配送用伝票から分離可能となっているものの、貼付票においては、その裏面に粘着剤が部分的に塗工されているため、配送途中において万が一ミシン目が破断したとしてもベース基材に貼着された状態となり、それにより、配送途中においては配送用伝票から分離しにくく、かつ、配送物の配送後において分離可能な構成となっている。
【先行技術文献】
【特許文献】
【００１７】
【特許文献１】実用新案登録第３１２０６３９号公報
【発明の概要】
【発明が解決しようとする課題】
【００１８】
特許文献１に開示されたものにおいては、貼付票を配送物から分離可能とするために貼付票の裏面に粘着剤が部分的にしか塗工されていない構成となっているため、配送物に貼着された状態において、貼付票の粘着剤が塗工されていない部分にて貼付票と配送物との間に指等が挟まって、そこから、貼付票が配送物から分離してしまう虞れがある。
【００１９】
また、配送物に貼着される前の状態においては、貼付票が剥離紙に剥離可能に貼着されているが、配達票や貼付票に配送情報を印字するためにプリンタ内を配送用伝票が搬送される際、貼付票の粘着剤が塗工されていない部分において貼付票と剥離紙との間にプリンタの部品等が引っ掛かり、そこから、貼付票が剥離紙から剥離してしまう虞れがある。
【００２０】
本出願人は、上述した配送ラベルに限らず、被着体に貼着された状態から２つの領域に分けて被着体から順次分離されるラベルにおいて、２つの領域のうち、後に被着体から分離される領域について、被着体から不用意に分離してしまうことを回避しながらも、必要時には被着体から容易に分離できるようにする構成を実現すべく鋭意研究を行った。
【００２１】
本発明は、上述したような従来の技術が有する問題点に鑑みてなされたものであって、被着体に貼着された状態から２つの領域に分けて被着体から順次分離されるラベルにおいて、２つの領域のうち、特に、後に被着体から分離される領域について、被着体から不用意に分離してしまうことを回避しながらも、必要時には被着体から容易に分離することができるラベルを提供することを目的とする。
【課題を解決するための手段】
【００２２】
上記目的を達成するために本発明は、
第１の領域と第２の領域とが分離線を介して分離可能に連接した第１のシートと、前記第１のシートの一方の面に擬似接着構造によって剥離可能に貼着された第２のシートとを有し、前記第２のシートの前記第１のシートとの貼着面とは反対側の面に積層された貼着層によって剥離紙が貼着されてなるラベルにおいて、
前記第２の領域は、前記分離線に沿う１つの角部に当該第２の領域の剥離開始端部を有し、
前記擬似接着構造は、前記第１の領域及び前記剥離開始端部を前記第２のシートから剥離可能とする剥離力が、前記第２の領域の前記剥離開始端部以外の領域を前記第２のシートから剥離可能とする剥離力よりも小さいことを特徴とする。
【００２３】
上記のように構成された本発明においては、第２のシートの第１のシートとの貼着面とは反対側の面に積層された貼着層によって貼着された剥離紙が剥離され、貼着層によって被着体に貼着された状態から、まず、第１の領域が第２の領域から分離して第２のシートから剥離されると、第２の領域の分離線に沿う端部に段差が生じる。第２の領域は、分離線に沿う１つの角部に剥離開始端部を有しており、その後、この剥離開始端部を剥離開始端として第２の領域が第２のシートから剥離されることになる。その際、第１のシートと第２のシートとを剥離可能に貼着している擬似接着構造による、剥離開始端部を第２のシートから剥離可能とする剥離力が、第２の領域の剥離開始端部以外の領域を第２のシートから剥離可能とする剥離力よりも小さいので、第２の領域を第２のシートにある程度強固に貼着しながらも、剥離開始端部の端部に生じた段差に指を引っ掛けて第２の領域を第２のシートから容易に剥離していくことができる。
【００２４】
また、第１の領域と第２の領域とが分離線を介して分離可能に連接した第１のシートと、前記第１のシートの一方の面に剥離可能に貼着された第２のシートとを有し、前記第２のシートの前記第１のシートとの貼着面とは反対側の面に積層された貼着層によって剥離紙が貼着されてなるラベルにおいて、
前記第２の領域は、前記分離線に沿う１つの角部に当該第２の領域の剥離開始端部を有し、
前記剥離開始端部は、前記第２のシートと貼着されておらず、
前記分離線は、前記剥離開始端部に沿う部分に、前記第１の領域と前記第２の領域とを連結する連結部を有することを特徴とする。
【００２５】
上記のように構成された本発明においては、第２のシートの第１のシートとの貼着面とは反対側の面に積層された貼着層によって貼着された剥離紙が剥離され、貼着層によって被着体に貼着された状態から、まず、分離線の連結部が破断されて第１の領域が第２の領域から分離し、第１の領域が第２のシートから剥離されると、第２の領域の分離線に沿う端部に段差が生じる。第２の領域は、分離線に沿う１つの角部に剥離開始端部を有しており、その後、この剥離開始端部を剥離開始端として第２の領域が第２のシートから剥離されることになる。その際、剥離開始端部は第２のシートと貼着されていないので、第２の領域が剥離開始端部以外の領域にて第２のシートに貼着されているものの、剥離開始端部の端部に生じた段差に指を引っ掛けて剥離開始端部を引き上げることにより、第２の領域を第２のシートから容易に剥離していくことができる。また、第１の領域が第２のシートから剥離される前の状態においては、分離線の剥離開始端部に沿う部分に設けられた連結部によって剥離開始端部の一部が第１の領域と連結しており、それにより、剥離開始端部が第２のシートと貼着されていないものの、第１のシートに情報を印字する際等において、剥離開始端部が捲れ上がって第２の領域が第２のシートから不用意に剥離してしまうことが回避される。
【発明の効果】
【００２６】
本発明によれば、第２の領域を第２のシートにある程度強固に貼着しながらも、剥離開始端部の端部に生じた段差に指を引っ掛けて第２の領域を第２のシートから容易に剥離していくことができ、それにより、被着体に貼着された状態から２つの領域に分けて被着体から順次分離されるラベルにおいて、２つの領域のうち、特に、後に被着体から分離される領域について、被着体から不用意に分離してしまうことを回避しながらも、必要時には被着体から容易に分離することができる。
【００２７】
また、分離線の剥離開始端部に沿う部分に、第１の領域と第２の領域とを連結する連結部が設けられていることにより、第１の領域が第２のシートから剥離される前の状態においては、剥離開始端部の一部が第１の領域と連結しており、それにより、剥離開始端部が第２のシートと貼着されていない構成としたとしても、第１のシートに情報を印字する際等において、剥離開始端部が捲れ上がって第２の領域が第２のシートから不用意に剥離してしまうことが回避される。
【図面の簡単な説明】
【００２８】
【図１】本発明のラベルの第１の実施の形態を示す図であり、（ａ）は正面図、（ｂ）は（ａ）に示したＡ−Ａ’断面図、（ｃ）は（ａ）に示したＢ−Ｂ’断面図、（ｄ）は（ａ）に示したＣ−Ｃ’断面図、（ｅ）は上基材の裏面の構成を示す図、（ｆ）は下基材の表面の構成を示す図である。
【図２】図１に示した配送ラベルの使用方法を説明するための図である。
【図３】図１に示した配送ラベルにおける貼付票の下基材からの剥離方法を詳細に説明するための図である。
【図４】本発明のラベルの第２の実施の形態を示す図であり、（ａ）は正面図、（ｂ）は（ａ）に示したＡ−Ａ’断面図、（ｃ）は（ａ）に示したＢ−Ｂ’断面図、（ｄ）は（ａ）に示したＣ−Ｃ’断面図、（ｅ）は上基材の裏面の構成を示す図、（ｆ）は下基材の表面の構成を示す図である。
【図５】図４に示した配送ラベルの使用方法を説明するための図である。
【図６】図４に示した配送ラベルにおける貼付票の下基材からの剥離方法を詳細に説明するための図である。
【図７】一般的な配送ラベルの一例を示す図であり、（ａ）は正面図、（ｂ）は（ａ）に示したＡ−Ａ’断面図、（ｃ）は（ａ）に示したＢ−Ｂ’断面図、（ｄ）は（ａ）に示したＣ−Ｃ’断面図、（ｅ）は上基材の裏面の構成を示す図、（ｆ）は下基材の表面の構成を示す図である。
【図８】図７に示した配送ラベルの使用方法を説明するための図である。
【発明を実施するための形態】
【００２９】
以下に、本発明の実施の形態について図面を参照して説明する。
【００３０】
（第１の実施の形態）
図１は、本発明のラベルの第１の実施の形態を示す図であり、（ａ）は正面図、（ｂ）は（ａ）に示したＡ−Ａ’断面図、（ｃ）は（ａ）に示したＢ−Ｂ’断面図、（ｄ）は（ａ）に示したＣ−Ｃ’断面図、（ｅ）は上基材１０の裏面の構成を示す図、（ｆ）は下基材２０の表面の構成を示す図である。
【００３１】
本形態は図１に示すように、剥離紙３０上に、第２のシートである下基材２０と、第１のシートである上基材１０とが積層されて構成された配送ラベル１である。剥離紙３０、下基材２０及び上基材１０はそれぞれ矩形状のものであり、同一の形状を有している。
【００３２】
剥離紙３０は、剥離台紙３１の一方の面に剥離剤３２が塗工されることによって構成されている。この剥離紙３０の剥離剤３２が塗工された面に下基材２０が積層され、下基材２０の裏面に粘着剤が塗工されることによって積層された貼着層４２を介して下基材２０が剥離紙３０に剥離可能に貼着されている。
【００３３】
上基材１０は、第１の領域となる配達票１１と第２の領域となる貼付票１２とが分離線となるスリット１３を介して分離可能に連接して構成されている。なお、分離線として、スリット１３の代わりにミシン線やマイクロミシン、ジッパー等を用いてもよい。配達票１１及び貼付票１２のそれぞれには、この配送ラベル１が貼着されて配送される配送物の配送元及び配送先の住所や氏名あるいは名称等の配送情報が印字される配送情報印字領域１１ａ，１２ａが設けられている。また、配達票１１には、この配送ラベル１が貼着されて配送される配送物の配送先にて受領印を押下するための押印領域１１ｂが設けられているとともに、貼付票１２に連接する角部が、三角形に切り欠かれていることにより切り欠き部１１ｃとなっており、この切り欠き部１１ｃが、配達票１１の下基材２０からの剥離を開始するための剥離開始端部となる。スリット１３は、切り欠き部１１ｃから、配送ラベル１の配達票１１と貼付票１２との連接方向に直交する方向、すなわち上基材１０の端辺と略平行に伸びている。貼付票１２は、スリット１３に沿う２つの角部のうち、スリット１３を介して切り欠き部１１ｃに隣接しない側の角部が、貼付票１２の下基材２０からの剥離を開始するための剥離開始端部１２ｂとなっている。この剥離開始端部１２ｂには、剥離開始端である旨を示す情報が表示されている。
【００３４】
このように構成された上基材１０の裏面には、その全面に剥離剤５１ａが塗工されることによって剥離層５１が積層されている。
【００３５】
下基材２０には、その表面のうち、貼付票１２の剥離開始端部１２ｂに対向する領域と配達票１１に対向する領域とに粘着剤４１ａが塗工されることによって貼着層４１が積層されており、また、貼付票１２のうち剥離開始端部１２ｂ以外の領域に対向する領域の全面に、粘着剤４１ａよりも貼着力が強い粘着剤４３ａが塗工されることによって貼着層４３が積層されている。剥離開始端部１２ｂは、貼付票１２のスリット１３に沿う領域の角部に設けられているが、貼付票１２を下基材２０から捲り上げるために一定の面積を有するものであって、本形態においては、貼付票１２の角部を頂点とする二等辺三角形の形状を有している。すなわち、粘着剤４１ａは、貼付票１２に対向する領域においては、貼付票１２の角部を頂点とする二等辺三角形の形状に塗工されている。
【００３６】
そして、剥離層５１と貼着層４１，４３とによって擬似接着構造が構成され、上基材１０と下基材２０とが、剥離層５１と貼着層４１，４３とによって剥離可能に貼着されている。上述したように、粘着剤４３ａの貼着力が粘着剤４１ａの貼着力よりも強いことから、配達票１１及び剥離開始端部１２ｂを下基材２０から剥離可能とする剥離力が、貼付票１２の剥離開始端部１２ｂ以外の領域を下基材２０から剥離可能とする剥離力よりも小さくなっている。すなわち、貼付票１２は、剥離開始端部１２ｂが他の領域よりも弱い剥離力で下基材２０から剥離することができるようになっている。
【００３７】
以下に、上記のように構成された配送ラベル１の使用方法について説明する。
【００３８】
図２は、図１に示した配送ラベル１の使用方法を説明するための図である。
【００３９】
図１に示した配送ラベル１は、まず、図２（ａ）に示すように、配達票１１及び貼付票１２のそれぞれに設けられた配送情報印字領域１１ａ，１２ａに、この配送ラベル１が貼着されて配送される配送物の配送元及び配送先の住所や氏名あるいは名称等の配送情報１１ｄ，１２ｄが印字された後、下基材２０が剥離紙３０から剥離される。
【００４０】
下基材２０が剥離紙３０から剥離された配送ラベル１は、下基材２０の裏面に塗工された粘着剤４２ａが表出し、図２（ｂ）に示すように、この粘着剤４２ａによって、配送物が収納された被着体となる段ボール箱２に貼着される。
【００４１】
配送ラベル１が段ボール箱２に貼着された配送物が、配送情報印字領域１１ａ，１２ａに印字された配送情報１１ｄ，１２ｄに従って配送先に届けられると、配達票１１の押印領域１１ｂに受領印が押下され、図２（ｃ）に示すように、配達票１１が、切り欠き部１１ｃを剥離開始端として下基材２０から剥離されていく。
【００４２】
この際、切り欠き部１１ｃは、配達票１１の角部が三角形に切り欠かれていることによって形成されているため、配達票１１や貼付票１２の表面に対して上基材１０の厚さだけ窪んでおり、この窪みに指を入れて配達票１１の端部に指を引っ掛けることで、配達票１１を捲り上げて下基材２０から容易に剥離することができる。なお、配達票１１の剥離開始端としては、切り欠き部１１ｃによるものに限らず、配達票１１の剥離開始端となる角部にスリットを設けたり、剥離開始端となる領域のみ貼着層４１よりも貼着力が弱い貼着層を設けたり、剥離開始端となる領域に貼着層４１上に糊殺し加工を施したりすることによるものでもよい。
【００４３】
配達票１１は、裏面に剥離剤５１ａが塗工されていることにより下基材２０から剥離できるとともに、貼付票１２とはスリット１３を介して分離可能に連接しているため、図２（ｄ）に示すように、下基材１２から剥離して段ボール箱２から完全に分離することができる。
【００４４】
このように段ボール箱２から分離した配達票１１は、配送業者等にて持ち帰られることになる。
【００４５】
一方、上記のようにして配送された配送物の段ボール箱２には、貼付票１２が貼着されたままの状態となっている。この貼付票１２には、配送物の配送元及び配送先の住所や氏名あるいは名称等の配送情報１２ｄが配送情報印字領域１２ａに印字されているため、段ボール箱２から配送物を取り出した後に段ボール箱２を廃棄する際、配送情報１２ｄの漏洩を回避するために貼付票１２を段ボール箱２から剥離することが好ましい。
【００４６】
図３は、図１に示した配送ラベル１における貼付票１２の下基材２０からの剥離方法を詳細に説明するための図である。
【００４７】
段ボール箱２に貼着されたままとなっている貼付票１２は、配達票１１が下基材２０から剥離されたことにより、配達票１１側の端部に上基材１０の厚さ分の段差が生じている。そして、貼付票１２は、配達票１１側の１つの角部が、貼付票１２の下基材２０からの剥離を開始するための剥離開始端部１２ｂとなっているため、剥離開始端部１２ｂの端部においても、上基材１０の厚さ分の段差が生じている。
【００４８】
そこで、図３（ａ）に示すように、剥離開始端部１２ｂの端部に指を引っ掛けることができ、図３（ｂ）に示すように、剥離開始端部１２ｂを捲り上げ、貼付票１２を下基材２０から剥離していく。その際、剥離開始端部１２ｂが貼付票１２の他の領域よりも弱い剥離力で下基材２０から剥離することができるようになっているため、貼付票１２の下基材２０からの剥離を容易に開始することができる。
【００４９】
貼付票１２の剥離開始端部１２ｂ以外の領域は、剥離開始端部１２ｂを下基材２０から剥離するための剥離力よりも大きな剥離力でないと下基材２０から剥離できないものの、上述したように剥離開始端部１２ｂが下基材２０から剥離し始めることにより、図２（ｅ）に示すように貼付票１２を下基材２０から剥離していくことができる。
【００５０】
そして、図２（ｆ）に示すように、貼付票１２を下基材２０から完全に剥離することにより、段ボール箱２から貼付票１２を分離すれば、段ボール箱２には配送情報１２ｄが残らず、配送情報の漏洩を回避しながら段ボール箱２を廃棄することができる。
【００５１】
このように本形態においては、配達票１１のみならず貼付票１２も剥離層５１によって下基材２０から剥離可能となっているものの、貼付票１２の下基材２０からの剥離を開始するための剥離開始端部１２ｂのみが、配達票１１と同一の粘着剤４１ａによって貼着されており、貼付票１２の剥離開始端部１２ｂ以外の領域が、この粘着剤４１ａよりも貼着力が強い粘着剤４３ａによって貼着されているので、貼付票１２においては、剥離開始端部１２ｂ以外の領域を下基材２０から剥離可能とする剥離力が、剥離開始端部１２ｂを下基材２０から剥離可能とする剥離力よりも大きくなり、それにより、貼付票１２を下基材２０にある程度強固に貼着しながらも、配達票１１が下基材２０から剥離されることによって剥離開始端部１２ｂの端部に生じた段差に指を引っ掛けて貼付票１２を下基材２０から容易に剥離していくことができる。
【００５２】
なお、本形態においては、貼付票１２のスリット１３に沿う２つの角部のうち、スリット１３を介して切り欠き部１１ｃに隣接しない側の角部が剥離開始端部１２ｂとなっており、この剥離開始端部１２ｂを下基材２０から剥離可能とする剥離力が、貼付票１２の剥離開始端部１２ｂ以外の領域を下基材２０から剥離可能とする剥離力よりも小さいものを例に挙げて説明したが、貼付票１２のスリット１３に沿う２つの角部のうち、スリット１３を介して切り欠き部１１ｃに隣接する側の角部が剥離開始端部１２ｂとなった構成であってもよい。
【００５３】
（第２の実施の形態）
図４は、本発明のラベルの第２の実施の形態を示す図であり、（ａ）は正面図、（ｂ）は（ａ）に示したＡ−Ａ’断面図、（ｃ）は（ａ）に示したＢ−Ｂ’断面図、（ｄ）は（ａ）に示したＣ−Ｃ’断面図、（ｅ）は上基材１１０の裏面の構成を示す図、（ｆ）は下基材１２０の表面の構成を示す図である。
【００５４】
本形態は図４に示すように、図１に示したものに対して、貼付票１１２のうち剥離開始端部１１２ｂの裏面には粘着剤１４１ａが塗工されておらず、貼着層１４１が積層されていない点と、スリット１１３の剥離開始端部１１１ｂ側の端部に、配達票１１１と貼付票１１２とを連結する連結部となるタイ部１１３ｂが配置されている点とが異なるものである。
【００５５】
以下に、上記のように構成された配送ラベル１０１の使用方法について説明する。
【００５６】
図５は、図４に示した配送ラベル１０１の使用方法を説明するための図である。
【００５７】
図４に示した配送ラベル１０１は、まず、図５（ａ）に示すように、配達票１１１及び貼付票１１２のそれぞれに設けられた配送情報印字領域１１１ａ，１１２ａに、この配送ラベル１０１が貼着されて配送される配送物の配送元及び配送先の住所や氏名あるいは名称等の配送情報１１１ｄ，１１２ｄが印字された後、下基材１２０が剥離紙１３０から剥離される。
【００５８】
下基材１２０が剥離紙１３０から剥離された配送ラベル１０１は、下基材１２０の裏面に塗工された粘着剤１４２ａが表出し、図５（ｂ）に示すように、この粘着剤１４２ａによって、配送物が収納された被着体となる段ボール箱１０２に貼着される。
【００５９】
配送ラベル１０１が段ボール箱１０２に貼着された配送物が、配送情報印字領域１１１ａ，１１２ａに印字された配送情報１１１ｄ，１１２ｄに従って配送先に届けられると、配達票１１１の押印領域１１１ｂに受領印が押下され、図５（ｃ）に示すように、配達票１１１が、切り欠き部１１１ｃを剥離開始端として下基材１２０から剥離されていく。
【００６０】
この際、切り欠き部１１１ｃは、配達票１１１の角部が三角形に切り欠かれていることによって形成されているため、配達票１１１や貼付票１１２の表面に対して上基材１１０の厚さだけ窪んでおり、この窪みに指を入れて配達票１１１の端部に指を引っ掛けることで、配達票１１１を捲り上げて下基材１２０から容易に剥離することができる。
【００６１】
配達票１１１は、裏面に剥離剤１５１ａが塗工されていることにより下基材１２０から剥離できるとともに、貼付票１１２とはスリット１１３を介して分離可能に連接しているため、貼付票１１２から分離しながら下基材１２０から剥離していく。そして、配達票１１１と貼付票１１２との分離領域がタイ部１１３ａに達すると、タイ部１１３ａが破断することにより、図５（ｄ）に示すように、配達票１１１が貼付票１１２から分離して下基材１２０から剥離し、配達票１１１を段ボール箱１０２から完全に分離することができる。
【００６２】
このように段ボール箱１０２から分離した配達票１１１は、配送業者等にて持ち帰られることになる。
【００６３】
一方、上記のようにして配送された配送物の段ボール箱１０２には、貼付票１１２が貼着されたままの状態となっている。この貼付票１１２には、配送物の配送元及び配送先の住所や氏名あるいは名称等の配送情報１１２ｄが配送情報印字領域１１２ａに印字されているため、段ボール箱１０２から配送物を取り出した後に段ボール箱１０２を廃棄する際、配送情報１１２ｄの漏洩を回避するために貼付票１１２を段ボール箱１０２から剥離することが好ましい。
【００６４】
図６は、図４に示した配送ラベル１０１における貼付票１１２の下基材１２０からの剥離方法を詳細に説明するための図である。
【００６５】
段ボール箱１０２に貼着されたままとなっている貼付票１１２は、配達票１１１が下基材１２０から剥離されたことにより、配達票１１１側の端部に上基材１１０の厚さ分の段差が生じている。そして、貼付票１１２は、配達票１１１側の１つの角部が、貼付票１１２の下基材１２０からの剥離を開始するための剥離開始端部１１２ｂとなっているため、剥離開始端部１１２ｂの端部においても、上基材１１０の厚さ分の段差が生じている。
【００６６】
そこで、図５（ａ）に示すように、剥離開始端部１１２ｂの端部に指を引っ掛けることができ、図５（ｂ）に示すように、剥離開始端部１１２ｂを引き上げ、貼付票１１２を下基材１２０から剥離していく。その際、剥離開始端部１１２ｂは下基材１２０に貼着されていないため、剥離開始端部１１２ｂを容易に引き上げることができる。
【００６７】
貼付票１１２の剥離開始端部１１２ｂ以外の領域は、貼着層１４３によって、配達票１１１を下基材１２０から剥離するための剥離力よりも大きな剥離力でないと下基材１２０から剥離できないものの、上述したように剥離開始端部１１２ｂが引き上げられて貼付票１１２が下基材１２０から剥離し始めることにより、図２（ｅ）に示すように貼付票１１２を下基材１２０から剥離していくことができる。
【００６８】
そして、図２（ｆ）に示すように、貼付票１１２を下基材１２０から完全に剥離することにより、段ボール箱１０２から貼付票１１２を分離すれば、段ボール箱１０２には配送情報１１２ｄが残らず、配送情報の漏洩を回避しながら段ボール箱１０２を廃棄することができる。
【００６９】
このように本形態においては、配達票１１１のみならず貼付票１１２も下基材１２０に剥離可能に貼着されているものの、貼付票１１２の下基材１２０からの剥離を開始するための剥離開始端部１１２ｂのみが下基材１２０に貼着されていないので、剥離開始端部１１２ｂを容易に引き上げることができ、それにより、貼付票１１２が下基材１２０に貼着されながらも、配達票１１１が下基材１２０から剥離されることによって剥離開始端部１１２ｂの端部に生じた段差に指を引っ掛けて貼付票１１２を下基材１２０から容易に剥離していくことができる。また、このように剥離開始端部１１２ｂが下基材１２０に貼着されていない構成においても、配達票１１１が下基材１２０から剥離される前の状態においては、スリット１１３の剥離開始端部１１２ｂ側の端部にタイ部１１３ａが設けられていることにより、剥離開始端部１１２ｂがその一部にて配達票１１１に連結しており、それにより、配送情報印字領域１１１ａ，１１２ａに配送情報１１１ｄ，１１２ｄ情報を印字する際等において、剥離開始端部１１２ｂが捲れ上がって貼付票１１２が下基材１２０から不用意に剥離してしまうことが回避される。
【００７０】
なお、本形態においては、下基材１２０の表面のうち、貼付票１１２の剥離開始端部１１２ｂに対向する領域と配達票１１１に対向する領域とに塗工された粘着剤１４１ａの貼着力よりも、貼付票１１２のうち剥離開始端部１１２ｂ以外の領域に対向する領域の全面に塗工された粘着剤１４３ａの貼着力の方が強いものを例に挙げて説明したが、これらの貼着力が等しいものであってもよい。ただし、粘着剤１４１ａの貼着力よりも粘着剤１４３ａの貼着力を大きなものとすれば、貼付票１１２を下基材１２０にある程度強固に貼着しながらも、必要時に下基材１２０から容易に剥離できるという効果が生じやすい。
【００７１】
また、タイ部１１３ｂは、スリット１１３の剥離開始端部１１１ｂ側の端部ではなく、剥離開始端部１１１ｂに沿う領域であればよい。ただし、スリット１１３の剥離開始端部１１１ｂ側の端部にタイ部１１３ｂを設ければ、配達票１１１と貼付票１１２とが、配送ラベル１０１の端部にて連結した構成となるため、配送情報印字領域１１１ａ，１１２ａに配送情報１１１ｄ，１１２ｄ情報を印字する際等において、配送ラベル１０１の端部から剥離開始端部１１２ｂが捲れ上がってしてしまうことが確実に回避される。また、分離線としてスリット１１３の代わりにミシン線やマイクロミシン、ジッパー等、カット部とタイ部とが連続してなるものを用いた場合、剥離開始端部１１１ｂに沿う領域にその分離線によるタイ部を配置したり、剥離開始端部１１１ｂに沿う領域にカット部のみが配置される場合であってもその分離線によるタイ部とは別個のタイ部を配置したりすることによって、分離線の剥離開始端部１１１ｂに沿う領域に、配達票１１１と貼付票１１２とが連結した連結部を設けてもよい。
【符号の説明】
【００７２】
１，１０１    配送ラベル
２，１０２    段ボール箱
３，１０３    指
１０，１１０    上基材
１１，１１１    配達票
１１ａ，１２ａ，１１１ａ，１１２ａ    配送情報印字領域
１１ｂ，１１１ｂ    押印領域
１１ｃ，１１１ｃ    切り欠き部
１１ｄ，１２ｄ，１１１ｄ，１１２ｄ    配送情報
１２，１１２    貼付票
１２ｂ，１１２ｂ    剥離開始端部
１３，１１３    スリット
２０，１２０    下基材
３０，１３０    剥離紙
３１，１３１    剥離台紙
３２，５１ａ，１３２，１５１ａ    剥離剤
４１〜４３，１４１〜１４３    貼着層
４１ａ〜４３ａ，１４１ａ〜１４１ａ    粘着剤
５１，１５１    剥離層
１１３ａ    タイ部
【図１】
2015187665.tif 000003
【図２】
2015187665.tif 000004
【図３】
2015187665.tif 000005
【図４】
2015187665.tif 000006
【図５】
2015187665.tif 000007
【図６】
2015187665.tif 000008
【図７】
2015187665.tif 000009
【図８】
2015187665.tif 000010